(57)【特許請求の範囲】
【請求項１】
表裏２枚の胴部フィルムと、前記両胴部フィルムの左右に施されたものであって袋体両側部に位置するサイドシールと、前記両胴部フィルムの上端部側にあって袋体の左右方向に沿う開口部と、前記開口部側にあって前記両胴部フィルムの内面に開閉自在に設けられた雌雄咬合型のチャックと、前記チャックに対して袋体の左右方向へ移動自在なるように組み合わされたチャック開閉操作用のスライダーとを備えた合成樹脂製袋体において、
前記チャックの上方には、一対のものであって互いに対向する突条が前記チャックと平行に設けられていること、および、
前記スライダーが、前記チャックの咬合を解除するためのテーパ部とストレート部と前記突条に係合して当該スライダーの脱落を防止するための係合部とを有する内側ガイドを備え、かつ、前記チャックを押さえて咬合させるための突起部をも備えていること、および、
前記スライダーについて、スライド方向に沿う横方向の寸法が縦方向の寸法よりも大きいものであること、および、
前記チャックの閉じ側に位置するサイドシールの上部側が、前記スライダー横方向の寸法よりも大きいシール幅を有するものであり、かつ、その大きいシール幅の部分が、前記スライダー横方向の寸法を上回る長さで袋上端側から袋下方に向けて連続していること、および、
前記チャックの閉じ側に位置するサイドシールの上端部には、前記内側ガイドを没入させるための横長の切欠部が設けられていること、および、
前記スライダーによる前記チャックの閉じ状態において当該スライダーの内側ガイドが前記切欠部に没入したときに、前記チャックが全幅にわたり雌雄咬合してそのチャックの閉じ端で隙間を生じることなく気水密性を確保するものであること
を特徴とするスライダー付き合成樹脂製袋体。
【請求項２】
前記スライダーによる前記チャックの閉じ状態において当該スライダー本体下部の全幅が前記切欠部に没入する請求項１に記載されたスライダー付き合成樹脂製袋体。
【発明の詳細な説明】
【技術分野】
【０００１】
本発明は、袋体の開口部に設けられている再開閉可能な雌雄咬合型のチャックを開閉操作するスライダー付き合成樹脂製袋体に関するものである。
【背景技術】
【０００２】
表裏２枚の胴部フィルムよりなり左右にサイドシールが施され、開口部にスライダーによって開閉操作する雌雄咬合型のチャックを備えた合成樹脂製袋体は周知である。
【０００３】
従来のスライダーはチャックを開閉するための内側ガイドがスライダー本体の端面に位置している。そのためチャックの閉じ端においては前記内側ガイドがチャックの雌雄爪間に位置し、チャックを完全に咬合することができず隙間ができ、この隙間により気水密性を損なっている。
【０００４】
また、スライダーの脱落防止のためにスライダー本体の下部にチャックと係合する脱落防止爪を設けたものがあるが、これでは、袋体開閉操作の際の力で脱落防止爪がチャックより係合が外れてスライダーが脱落してしまう場合があった。
【特許文献１】特開平１０−３２７９１２公報
【特許文献２】特開２００２−５８５０９公報
【特許文献３】特開２００４−１９６３２１公報
【発明の開示】
【発明が解決しようとする課題】
【０００５】
本発明は、気水密性の確保とスライダーの脱落を確実に防止したスライダー付き合成樹脂製袋体を提供することである。
【課題を解決するための手段】
【０００６】
上記の課題を解決するための本発明は、下記(1)(2)に記載されたスライダー付き合成樹脂製袋体を特徴とするものである。
(1) 表裏２枚の胴部フィルムと、前記両胴部フィルムの左右に施されたものであって袋体両側部に位置するサイドシールと、前記両胴部フィルムの上端部側にあって袋体の左右方向に沿う開口部と、前記開口部側にあって前記両胴部フィルムの内面に開閉自在に設けられた雌雄咬合型のチャックと、前記チャックに対して袋体の左右方向へ移動自在なるように組み合わされたチャック開閉操作用のスライダーとを備えた合成樹脂製袋体において、  前記チャックの上方には、一対のものであって互いに対向する突条が前記チャックと平行に設けられていること、および、
前記スライダーが、前記チャックの咬合を解除するためのテーパ部とストレート部と前記突条に係合して当該スライダーの脱落を防止するための係合部とを有する内側ガイドを備え、かつ、前記チャックを押さえて咬合させるための突起部をも備えていること、および、
前記スライダーについて、スライド方向に沿う横方向の寸法が縦方向の寸法よりも大きいものであること、および、
前記チャックの閉じ側に位置するサイドシールの上部側が、前記スライダー横方向の寸法よりも大きいシール幅を有するものであり、かつ、その大きいシール幅の部分が、前記スライダー横方向の寸法を上回る長さで袋上端側から袋下方に向けて連続していること、および、
前記チャックの閉じ側に位置するサイドシールの上端部には、前記内側ガイドを没入させるための横長の切欠部が設けられていること、および、
前記スライダーによる前記チャックの閉じ状態において当該スライダー内側ガイドが前記切欠部に没入したときに、前記チャックが全幅にわたり雌雄咬合してそのチャックの閉じ端で隙間を生じることなく気水密性を確保するものであること
を特徴とするスライダー付き合成樹脂製袋体。
(2) 前記スライダーによる前記チャックの閉じ状態において当該スライダー本体下部の全幅が前記切欠部に没入する上記(1)に記載されたスライダー付き合成樹脂製袋体。
【発明の効果】
【０００７】
本発明によると、スライダーをチャックの閉じ端に移動した時に内側ガイドがチャックの閉じ側のサイドシールに設けた切欠部に没入し、チャツクを押さえて咬合させるための突起部はチャックの閉じ端まで移動するため、チャックは全幅に渡って完全に雌雄咬合するためスライダーのチャック閉じ端において隙間が生ずることがなくなり気水密性を確保する。また、スライダーをチャックの咬合を解除方向に移動することにより内側ガイドのテーパ部及びストレート部によりチャック上方の突条を押し広げてチャックの咬合を解除し、内側ガイドに形成した係合部が突条に常に係合してスライダーの脱落を確実に防止する効果を有している。
【発明を実施するための最良の形態】
【０００８】
以下本発明を実施するための最良の形態を図面に基づいて説明する。図１はスライダー６がチャツク４の閉じ端に移動した状態を示すものであり、１は裏２枚の胴部フィルムよりなり左右にサイドシールが施された合成樹脂製袋体である。図示のサイドシール２はチャック閉じ端側を示す。袋体の開口部３には図３でも示すように、スライダー６によって開閉操作する雌雄咬合型のチャック４を備えており、このチャック４の上方に対向する一対の突条５をチャック４と平行に設けられている。
【０００９】
前記スライダー６には図４にも示されているように、チャック４の咬合を解除するためのテーパ部７ａ及びストレート部７ｂと、前記突条５に係合してスライダー６の脱落を防止する係合部７ｃとを有する内側ガイド７と、前記チャツク４を押さえて咬合させるための突起部８とを備えている。
【００１０】
さらに、チャック閉じ端側のサイドシール２にはスライダー６をチャック４の閉じ端に移動した時に内側ガイド７が没入する切欠部９が設けられている。図４において符号１０はスライダー本体の下部に形成した脱落防止補助用の爪を示す。
【００１１】
上記の構造よりなる本発明の作用について説明する。図１は前述の通り、スライダー６がチャック４の閉じ端に移動位置した状態を示し、この状態で内側ガイド７がチャック４の閉じ側のサイドシール２に設けた切欠部９に没入し、チャツク４を押さえて咬合させるための突起部８はチャック４の閉じ端まで移動する。従って、チャック４は全幅に渡って完全に雌雄咬合するためスライダー６のチャック閉じ端において隙間が生ずることがなくなり気水密性を確保する。
【００１２】
図１は突起部８がサイドシール２の幅内まで移動した状態となるよう内側ガイド７が切欠部９に没入する切欠部の長さとした実施例であるが、図２で示すように、突起部８がチャック４の閉じ端に位置するよう内側ガイド７が切欠部９に没入する切欠部の長さとしてもスライダー６のチャック閉じ端において隙間が生ずることがなくなり気水密性を確保する。
【００１３】
スライダー６をチャック４の咬合の解除方向に移動することにより、突起部８の後方で内側ガイド７のテーパ部７ａ及びストレート部７ｂで図６〜図８で示すようにチャック４の咬合が解除される。
【００１４】
また、袋体開閉操作の際の力で内側ガイド７に形成した係合部７ｃが突条５に常に係合しているため、スライダー６を移動して袋体開閉操作する際の力でスライダー６が脱落することを確実に防止している。
【００１５】
さらに、開口部３に設けられている突条５は、チャック４の咬合を解除して包入物を出し入れする際に袋口を指先で摘んで開くときに指掛けとなり、開口部３を容易に開くことができる利点を有している。
【００１６】
尚、本発明は、袋体の形状が平袋タイプ、スタンドタイプの何れにも適用することができる。
【図面の簡単な説明】
【００１７】
【図１】本発明のチャック閉じ端側における袋体開口部の要部を示す図
【図２】図１の他の実施例を示す図
【図３】袋体開口部の断面図
【図４】スライダーの斜視図
【図５】スライダーがチャックに装填されている状態の断面図
【図６】図５のＡ−Ａ断面図
【図７】図５のＢ−Ｂ断面図
【図８】図５のＣ−Ｃ断面図
【符号の説明】
【００１８】
１    合成樹脂製袋体
２    サイドシール
３    開口部
４    チャック
５    突条
６    スライダー
７    内側ガイド
７ａ  テーパ部
７ｂ  ストレート部
７ｃ 係合部
８    突起部
９    切欠部
【図１】
0005138209.tif 000002
【図２】
0005138209.tif 000003
【図３】
0005138209.tif 000004
【図４】
0005138209.tif 000005
【図５】
0005138209.tif 000006
【図６】
0005138209.tif 000007
【図７】
0005138209.tif 000008
【図８】
0005138209.tif 000009